【事件の表示】
　平成１１年特許願第３０９６１３号「音響レンズの製造方法」拒絶査定不服審判事件〔平成１２年　５月２３日出願公開、特開２０００−１４１６３４〕について、次のとおり審決する。
【結　論】
　本件審判の請求は、成り立たない。
【理　由】
第１　手続の経緯・ 本願発明
１　本願は、平成１１年１０月２９日（パリ条約による優先権主張１９９８年１１月２日、アメリカ合衆国）の出願であって、平成２０年１０月９日付けで手続補正がなされ、平成２１年１月２３日付けで拒絶査定がなされたため、これを不服として同年４月２７日付けで拒絶査定不服審判が請求されるとともに、同年５月２１日に手続補正がなされ、当審において、平成２２年６月８日付けで拒絶の理由（以下「当審拒絶理由」という。）が通知され、これに対して、同年９月１３日に手続補正がなされたものである。 
　
２　本願の請求項１に係る発明は、平成２２年９月１３日付け手続補正後の明細書及び図面の記載からみて、その特許請求の範囲の請求項１に記載されたとおりの次のものと認める。
「【請求項１】　光溶融可能なガラス、シリカをドープした金属酸化物、およびプラスチックからなる群から選択されるいずれか１種の光溶融可能な基板であって、対向する第１および第２の表面を有する光溶融可能な基板を提供する工程と、
　前記基板の表面の一方を光反応性エッチング剤にさらす工程と、
　前記基板内に凹面の半球形状のくぼみを形成するように、前記エッチング剤をパターン化された光にさらしエッチングする工程と、
　前記基板内に形成された膨れまたはくぼみの表面をリフローする工程と、
　を備え、
　前記エッチング剤は、６０〜１００ｎｍの連続する波長範囲を有する紫外光を照射することによって得られる、有機ハロゲン化物を含むプラズマからなるエッチングガスであることを特徴とする音響レンズの製造方法。」
　
　請求項１は選択的記載がなされているから請求項１に係る発明は、
「光溶融可能なガラスからなる光溶融可能な基板であって、対向する第１および第２の表面を有する光溶融可能な基板を提供する工程と、
　前記基板の表面の一方を光反応性エッチング剤にさらす工程と、
　前記基板内に凹面の半球形状のくぼみを形成するように、前記エッチング剤をパターン化された光にさらしエッチングする工程と、
　前記基板内に形成されたくぼみの表面をリフローする工程と、
　を備え、
　前記エッチング剤は、６０〜１００ｎｍの連続する波長範囲を有する紫外光を照射することによって得られる、有機ハロゲン化物を含むプラズマからなるエッチングガスであることを特徴とする音響レンズの製造方法。」
という発明（以下「本願発明」という。）を含んでいる。
　
第２　引用刊行物の記載事項
　当審拒絶理由で引用した本願の優先日前に頒布された刊行物である特開昭６３−１６２２５３号公報（以下「引用例」という。）には、図とともに次の事項が記載されている（下線は審決で付した。以下同じ。また、繰り返し記号は訂正して摘記した。）。
　
１　「（１）要求に応じてインク滴をインクプールの自由面から所定の音響速度で噴射する音響プリントヘッドにおいて、
　所定の中心に形成されて
音響レンズ
を形成する
ほぼ球面状（審決注：「球面上」は「球面状」の明らかな誤記であるので訂正して摘記した。）の凹部を備えた上面と、下面とを有し、
固体基板
　前記基板の下面と機械的に密着結合されて前記レンズを照明するｒｆ音響を発生し、前記レンズがそれぞれの集束音響ビームを前記インク中に発するように成す圧電トランスデューサ手段とを備え、前記レンズの焦点距離が前記音響ビームを前記インクプールのほぼ表面に集束させるように選定されていることを特徴とする音響プリントヘッド。」（第１頁左欄第４行〜１９行）
　
２　「従って、レンズ１２ａ〜１２ｉとインク１６間の境界面で２．５：１より大きい屈折率比（両音響速度の比υｓ／υiで決まるを維持するのに、
基板２２は
ガラス
で構成し得る。
　
３　「音響印刷は、レンズ１２ａ〜１２ｉの極めて厳密に離間された中心に対する相互の精確な位置決めを必要とする。このため本発明の別の特徴として、
レンズ１２ａ〜１２ｉは基板２２に化学的にエツチングつまり形成されるのが好ましい。
その他の化学的にエツチング可能な材料から成る基板２２上にレンズ１２ａ〜１２ｉを製造するのに拡張できる。
　
４　「
レンズ１２ａ〜１２ｉの外表面は、
滑らかな仕上げを有し浄化されるのが好ましい。
　
５　上記１、上記３及び第１、３、４Ａ、４Ｂ、４Ｃ、４Ｄ、５、７、８図からして、音響レンズは、化学的なエッチングにより基板にほぼ球面状の凹部のパターンとして形成されていると見て取れる。
　
６　上記１ないし５から、引用例には、
「音響レンズを形成するほぼ球面状の凹部を備えた上面と、下面とを有する基板は、ガラスから構成され、音響レンズは基板に化学的にエツチングによりパターンとして形成され、音響レンズの外表面は、滑らかな仕上げを有し浄化される音響レンズの製造方法。」の発明（以下「引用発明」という。）が、記載されているものと認められる。
　
第３　対比
　本願発明と引用発明とを対比する。
１　引用発明の「ほぼ球面状の凹部」、「上面と、下面とを有する基板」、「ガラスから構成され」、「『音響レンズは基板に化学的にエツチングにより』『形成され』」及び「音響レンズの製造方法」は、それぞれ、本願発明の「凹面の半球形状のくぼみ」、「『対向する第１および第２の表面を有する』『基板』」、「ガラスからなる」、「『前記基板内に』『くぼみを形成するように、』『エッチングする工程』」及び「音響レンズの製造方法」に相当する。
　
２　引用発明は、「ガラスから構成され、」「上面と、下面とを有する基板」を用いて、ほぼ球面状の凹部を備えた音響レンズを形成しているので、「『ガラスから構成され』『上面と、下面とを有する基板』を提供する工程」を備えているものの認められる。
　よって、引用発明の「『ガラスから構成され』『上面と、下面とを有する基板』を提供する工程」は、本願発明の「『ガラスからなる』『基板であって、対向する第１および第２の表面を有する』『基板を提供する工程』」に相当する。
　
３　上記１及び２からみて、本願発明と引用発明とは、
「ガラスからなる基板であって、対向する第１および第２の表面を有する基板を提供する工程と、
　前記基板内に凹面の半球形状のくぼみを形成するように、エッチングする工程と、
　を備える音響レンズの製造方法。」である点で一致し、次の相違点１及び２で相違する。
　
相違点１：
　本願発明においては、ガラスからなる基板が「光溶融可能」であり、「『前記基板の表面の一方を光反応性エッチング剤にさらす工程と、』『前記エッチング剤をパターン化された光にさらしエッチングする工程と、』『を備え、』『前記エッチング剤は、６０〜１００ｎｍの連続する波長範囲を有する紫外光を照射することによって得られる、有機ハロゲン化物を含むプラズマからなるエッチングガス』」であるのに対して、引用発明においては、ガラスからなる基板が光溶融可能か明らかでなく、音響レンズは基板に化学的にエツチングによりパターンとして形成されるものの、本願発明のようなエッチングかどうか明らかでない点
　
相違点２：
　本願発明においては、「基板内に形成されたくぼみの表面をリフローする工程」を備えているのに対して、引用発明においては、音響レンズの外表面は、滑らかな仕上げを有し浄化されているものの前記リフローする工程を備えているかどうか明らかでない点。
　
第４　判断
　上記相違点１及び２について検討する。
１　相違点１について
（１）エッチング技術において、基板表面に紫外光を照射し、有機ハロゲン化物を含むプラズマからなるエッチングガスによってエッチングを行うことは、本願の優先日前に周知である（例．特開昭５５−２８３９０号公報（第１頁左欄第４〜１７行、第２頁右上欄第５〜１３行及び第２頁左下欄第１６行〜右上欄第６行参照。「６００〜１０００Åの連続な波長範囲を持つ真空紫外線」及び「『反応イオン・エッチングのための』『ＣＦ４などの安定な有機ハロゲン化物』『から作られたプラズマ』」が、「紫外光」及び「有機ハロゲン化物を含むプラズマからなるエッチングガス」に相当する。）、特開平４−３０８０９５号公報（請求項１ないし３、請求項５、【０００９】及び【００１４】参照。「被処理基板」、「真空紫外光」及び「『ＣＦ４等のフルオロカーボン系のガス』により供給を行う『フッ素ラジカル』」が、「基板」、「紫外光」及び「有機ハロゲン化物を含むプラズマからなるエッチングガス」に相当する。）及び特開平６−２９２５５号公報（請求項１、請求項２及び【０００８】参照。「目的物」、「真空紫外光」及び「『テトラフルオロカーボン（ＣＦ４）』『の放電によって得られるプラズマ』」が、「基板」、「紫外光」及び「有機ハロゲン化物を含むプラズマからなるエッチングガス」に相当する。）、以下「周知技術１」という。）。
　
（２）そして、引用発明の音響レンズは基板に化学的にエッチングされることにより形成されており、加えて、紫外光を照射することにより得られるエッチングガスによりガラスがエッチングされることは周知の事実（例．特開平３−２７４２９０号公報（第１頁左欄第４〜１１行及び第２頁左上欄第１１行〜左下欄第１１行参照。）、特公平７−１０５３５０号公報（請求項１、第３頁左欄第２３、２４行及び第３頁右欄第３１〜３５行参照。）。以下「周知事実」という。）であり、引用発明の化学的にエッチングするガラスは、紫外光を照射することにより得られるエッチングガスによりエッチング可能かは分からないが、上記周知技術１を採用した場合に、当然、紫外光を照射することにより得られるエッチングガスによりエッチング可能なガラスを引用発明は採用することから、引用発明の基板のエッチングに上記周知技術１を採用して、紫外光を照射することにより得られるエッチングガスによりエッチング可能なガラスからなる基板の上面を、紫外線を照射することよって得られる有機ハロゲン化物を含むプラズマからなるエッチングガスにさらし、エッチングを行い基板に凹部を形成するようになすことは、当業者が適宜選択する事項にすぎず、その場合に、引用発明の「音響レンズは基板に化学的にエツチングによりパターンとして形成され」ているので、上記エッチングガスをパターン化された紫外光にさらしエッチングを行うようになすことは、当業者が適宜なし得る事項にすぎず、また、紫外光の波長範囲の具体的な数値範囲も当業者が適宜設定する事項にすぎない。
　よって、引用発明において上記相違点１に係る本願発明の構成となすことは、周知技術１及び周知事実に基づいて当業者が適宜選択し得た事項にすぎない。
　
 ２　相違点２について
（１）レンズの表面をリフロー処理して平滑にすることは、本願の優先日前に周知である（例．特開昭６２−８５４３３号公報（第１頁右欄第８行〜第１４行、第２頁左上欄第１６〜１８行及び第２頁左下欄第１〜３行参照。「溶融」が、「リフロー処理」に相当する。）、特開平８−３１６４４７号公報（【００２６】参照。「なだらかな曲面となり」が、「平滑にする」に相当する。）、特開昭５９−２１２２２５号公報（第１頁右欄第６〜８行及び第２頁左下欄第６〜１９行、「再加熱溶融」及び「真球度を向上させる」が、「リフロー処理」及び「平滑にする」に相当する。）及び特開平６−１２５０７０号公報（【００６５】、【００６８】及び図６参照、「凹レンズ部」、「熱リフロー」及び「『透明絶縁膜２９ｄ1 を下地表面の凹凸形状がその表面形状に反映されるよう堆積した後、該透明絶縁膜２９ｄ1 の熱リフローによりその受光部上の凹状部分１２０ａを所定の凹状湾曲形状と』する」が、「レンズ」、「リフロー処理」及び「平滑にする」に相当する。）、以下「周知技術２」という。）。
　
（２）引用発明は、「音響レンズの外表面は、滑らかな仕上げを有し浄化される」ことから、上記周知技術２を採用して、基板内に形成された凹部の表面をリフロー処理して滑らかな仕上げをする工程を備えるようになすことは、当業者が適宜なし得る事項にすぎず、よって、引用発明において上記相違点２に係る本願発明の構成となすことは、当業者が周知技術２に基づいて適宜なし得た程度の事項にすぎない。
　　
３　効果について
　本願発明の奏する効果は、引用発明、周知技術１、周知技術２及び周知事実から当業者が予測することができた程度のものである。
　
４　まとめ
　したがって、本願発明は、当業者が引用発明、周知技術１、周知技術２及び周知事実に基づいて容易に発明をすることができたものである。
　
第５　むすび 
　以上のとおり、本願発明は、当業者が引用例に記載された発明、周知技術１、周知技術２及び周知事実に基づいて容易に発明をすることができたものであるから、特許法第２９条第２項の規定により特許を受けることができないものであり、他の請求項に係る発明を検討するまでもなく、本願は、拒絶されるべきものである。 
　よって、結論のとおり審決する。